(57)【要約】【課題】従来の室内に本体を設置しても圧力損失を低減させモーターの消費電力の増加を低減させることができるレンジフードを提供することを目的とする。【解決手段】ファンユニット１０を天井裏１１に設置し、チャンバー５とファンユニット１０とをダクト９にて接続し、室内側吸込口４を通過した油煙がフード吸込口６とファン吸込口８とを通り屋外１２へ排気する構成としたことにより、フード吸込口６とファン吸込口８の間の距離が長くすることができ、従来の室内に本体を設置しても圧力損失を低減させモーターの消費電力の増加を低減させることができるレンジフードを得られる。【選択図】図１
2017180852.tif 000002
【特許請求の範囲】
【請求項１】
フードユニットと、前記フードユニットの下部に整流板を有し、前記フードユニットと整流板との隙間から空気を吸い込む室内側吸込口を有し、前記フードユニットの上部に上方へ開口したファン吸込口を設けたチャンバーを有し、前記チャンバーの下方にフード吸込口と送風機器を備えたファンユニットとで構成され、前記ファンユニットを天井裏に設置し前記チャンバーと前記ファンユニットとをダクトにて接続することを特徴とするレンジフード。
【請求項２】
前記チャンバーの下面の外周に沿って、前記フード吸込口を設けたことを特徴とする請求項１に記載のレンジフード。
【請求項３】
前記チャンバーは、前記フードユニットの長手方向の幅と同幅を有し、前記吸込口は前記整流板の外周の内側に設けたことを特徴とする請求項２に記載のレンジフード。
【発明の詳細な説明】
【技術分野】
【０００１】
本発明は、調理機器の上方に設置され、調理時に発生する油煙を捕集して屋外に排気するレンジフードに関するものである。
【背景技術】
【０００２】
従来、この種のレンジフードは、箱体の本体と整流板を有し、本体の内部にファンケーシングを設け、本体の下方に設けた吸込口とファンケーシングとの間にフィルターを設けたものが知られている（例えば、特許文献１参照）。
【０００３】
以下、そのレンジフードについて図４を参照しながら説明する。
【０００４】
図４に示すように、箱体の本体１０１と、本体１０１下部に整流板１０２を有し、本体１０１の内部にファンケーシング１０３と、ファンケーシング１０３の内部に設けた遠心ファン１０４と、ファンケーシング１０３の天板に遠心ファン１０４を回転させるモーター１０５を設け、本体１０１の下方に設けた吸込口１０６とファンケーシング１０３との間にはフィルター１０７を設けて構成されるレンジフードが知られている。
【先行技術文献】
【特許文献】
【０００５】
【特許文献１】特開２０１５−１８７５３６号公報
【発明の概要】
【発明が解決しようとする課題】
【０００６】
このような従来のレンジフードにおいては、従来の室内においてレンジフードの本体１０１を設置する場合、本体１０１の高さの制限により吸込口１０６から遠心ファン１０４までの風路の高さが低くなり、遠心ファン１０４にかかる圧力損失が増えその結果モーター１０５の消費電力が増加する、という課題を有していた。
【０００７】
そこで、本発明は、上記従来の課題を解決するものであり、従来の室内に本体１０１を設置しても圧力損失を低減させモーター１０５の消費電力の増加を低減させることができるレンジフードを提供することを目的とする。
【課題を解決するための手段】
【０００８】
そして、この目的を達成するために、本発明は、フードユニットと、前記フードユニットの下部に整流板を有し、前記フードユニットと整流板との隙間から空気を吸い込む室内側吸込口を有し、前記フードユニットの上部に上方へ開口したファン吸込口を設けたチャンバーを有し、前記チャンバーの下方に前記フード吸込口と送風機器を備えたファンユニットとで構成され、前記ファンユニットを天井裏に設置し前記チャンバーと前記ファンユニットとをダクトにて接続することとしたものであり、これにより所期の目的を達成するものである。
【発明の効果】
【０００９】
本発明によれば、フードユニットと、前記フードユニットの下部に整流板を有し、前記フードユニットと整流板との隙間から空気を吸い込む室内側吸込口を有し、前記フードユニットの上部に上方へ開口したファン吸込口を設けたチャンバーを有し、前記チャンバーの下方に前記フード吸込口と送風機器を備えたファンユニットとで構成され、前記ファンユニットを天井裏に設置し前記チャンバーと前記ファンユニットとをダクトにて接続する、という構成にしたことにより、天井裏にファンユニットを設けフードユニットの上部にチャンバーを有しフード吸込口とファン吸込口の間の距離が長くすることとなるので、従来の室内に本体を設置しても圧力損失を低減させモーターの消費電力の増加を低減させることができる、という効果を得ることができる。
【図面の簡単な説明】
【００１０】
【図１】本発明の実施の形態１のレンジフードの正面から見た構成図
【図２】同レンジフードの下面から見た構成図
【図３】同レンジフードの側面から見た構成図
【図４】従来のレンジフードの側面から見た構成図
【発明を実施するための形態】
【００１１】
本発明の請求項１記載のレンジフードは、フードユニットと、前記フードユニットの下部に整流板を有し、前記フードユニットと整流板との隙間から空気を吸い込む室内側吸込口を有し、前記フードユニットの上部に上方へ開口したファン吸込口を設けたチャンバーを有し、前記チャンバーの下方に前記フード吸込口と送風機器を備えたファンユニットとで構成され、前記ファンユニットを天井裏に設置し前記チャンバーと前記ファンユニットとをダクトにて接続する、という構成を有する。これにより、天井裏にファンユニットを設けフードユニットの上部にチャンバーを有し、フード吸込口とファン吸込口の間の距離が長くすることとなるので、従来の室内に本体を設置しても圧力損失を低減させモーターの消費電力の増加を低減させることができる、という効果を奏する。
【００１２】
また、前記チャンバーの下面の外周に沿って、前記フード吸込口を設けた、という構成にしてもよい。これにより、室内側吸込口から吸い込まれた油煙を含んだ空気はチャンバーの外周から吸い込まれることとなるので、従来の室内に本体を設置しても更に圧力損失を低減させモーターの消費電力の増加を低減させることができる、という効果を奏する。
【００１３】
また、前記チャンバーは、前記フードユニットの長手方向の幅と同幅を有し、前記吸込口は前記整流板の外周の内側に設けた、という構成にしてもよい。これにより、室内側吸込口から吸い込まれた油煙を含んだ空気は整流板の外周のほぼ真上から吸い込まれることとなるので、従来の室内に本体を設置しても更に圧力損失を低減させモーターの消費電力の増加を低減させることができる、という効果を奏する。
【００１４】
以下、本発明の実施の形態について図面を参照しながら説明する。
（実施の形態１）
図１、２に示すように、フードユニット２は例えばキッチン等が設置されている室内１のガスコンロ等の加熱調理器（図示せず）の上方に設置される。フードユニット２の下部には、整流板３を有し、フードユニット２と整流板３との隙間から調理時に発生する油煙を含んだ空気を吸い込む室内側吸込口４を有する。
【００１５】
そして、フードユニット２の上部には、チャンバー５を有する。チャンバー５の底面は、下方へ開口したフード吸込口６とフード吸込口６の中にフィルター７を設けている。チャンバー５の上部には、上方へ開口したファン吸込口８を設けている。
【００１６】
そして、ファンユニット１０は、天井裏１１に例えば吊り金具（図示せず）等で設置され、ファンユニット１０内部には、空気を屋外１２に排気する遠心ファン１３とモーター１４とを有する。
【００１７】
そして、ファンユニット１０とチャンバー５とをファン吸込口８を介してダクト９にてファンユニット１０に接続する。
【００１８】
そして、室内側吸込口４から吸い込んだ油煙を含んだ空気は、フードユニット２と整流板３との隙間を通り、フード吸込口６からチャンバー５内部に流入し、ファン吸込口８からダクト９を介してファンユニット１０へ流入させる。
【００１９】
そして、前記空気は、ファンユニット１０に接続された屋外１２に連通した排気ダクト１５により屋外１２へ排気する。
【００２０】
この構成により、フード吸込口６とファン吸込口８との間の距離を長くすることができるので、従来の室内１にレンジフードを設置しても圧力損失を低減させモーター１４の消費電力の増加を低減させることができる。
【００２１】
また、ファンユニット１０は、屋外１２に設置し、チャンバー５とファンユニット１０とを天井裏１１を通り屋外１２へ連通するダクト９にて接続する構成でも良い。
【００２２】
この構成により、ファンユニット１０を手の届く任意の位置に設置することとなるので、ファンユニット１０のメンテナンス性を向上することができる。
【００２３】
また、図２に示すように、チャンバー５の下面のフードユニット２正面側の辺とその辺につながる２辺の内側に、４つのフード吸込口６を設け、フード吸込口６の下方に４つのフィルター７を設ける。
【００２４】
この構成により、室内側吸込口４から吸い込まれた油煙を含んだ空気は、チャンバー５の外周から吸い込まれることとなるので、従来の室内１に本体を設置しても更に圧力損失を低減させモーター１４の消費電力の増加を低減させることができる。
【００２５】
また、図３に示すように、チャンバー５は、フードユニット２の長手方向の幅と同幅を有し、フード吸込口６を整流板３の外周の内側に設ける。
【００２６】
この構成により、室内側吸込口４から吸い込まれた油煙を含んだ空気は整流板３の外周のほぼ真上から吸い込まれることとなるので、従来の室内に本体を設置しても更に圧力損失を低減させモーター１４の消費電力の増加を低減させることができる。
【産業上の利用可能性】
【００２７】
本発明にかかるレンジフードは、ファンユニットに能動消音装置を組み込んでも従来の室内の天井高さにも本体を設置することができることを可能とするものであるので、換気空調設備に搭載する消音装置等として有用である。
【符号の説明】
【００２８】
１    室内
２    フードユニット
３    整流板
４    室内側吸込口
５    チャンバー
６    フード吸込口
７    フィルター
８    ファン吸込口
９    ダクト
１０    ファンユニット
１１    天井裏
１２    屋外
１３    遠心ファン
１４    モーター
１５    排気ダクト
【図１】
2017180852.tif 000003
【図２】
2017180852.tif 000004
【図３】
2017180852.tif 000005
【図４】
2017180852.tif 000006